(57)【要約】【課題】交換の際の手間やコストを抑えることのできる軒樋吊具を提供する。【解決手段】本発明の軒樋吊具１０は、鼻板５００に固定されるベース２０と、ベース２０とは別体の吊具本体３０とを備える。吊具本体３０は、上側ベース３００と、上側ベース３００から延設される架橋体３０２とを、一体に有する。ベース２０に対して上側ベース３００を着脱自在に結合させ、ベース２０の上方に位置する上側ベース３００を、鼻板５００にネジ固定する。上側ベース３００から延設される架橋体３０２で、軒樋４０を支持する。【選択図】図１
2015068107.tif 000002
【特許請求の範囲】
【請求項１】
建物が有する鼻板の屋外側に軒樋を支持する軒樋吊具であって、
前記鼻板に固定されるベースと、
前記ベースとは別体に設けた吊具本体とを備え、
前記吊具本体は、
固定用の貫通孔を形成した上側ベースと、この上側ベースから延設される架橋体とを一体に有し、
前記ベースに対して前記上側ベースを着脱自在に結合させ、且つ、前記ベースの上方に位置する前記上側ベースを、前記貫通孔を介して前記鼻板に固定した状態で、
前記上側ベースから屋外側に延設される前記架橋体で前記軒樋を支持するように設けたことを特徴とする軒樋吊具。
【請求項２】
前記ベースは、その上部に第一凹凸構造を有し、
前記上側ベースは、その下部に第二凹凸構造を有し、
前記ベースと前記上側ベースは、前記第一凹凸構造と前記第二凹凸構造が上下スライド自在に嵌合することで、着脱自在に結合されることを特徴とする請求項１に記載の軒樋吊具。
【請求項３】
前記ベースは、
前記軒樋の屋内側端部を引っ掛ける屋内側引掛部を、その屋外側の面に有し、
前記架橋体は、
前記軒樋の内面に当たる延出部を、下方に延出させて有し、
前記屋内側引掛部と前記延出部との間で前記軒樋を挟み込むことで、前記軒樋の回転を抑えることを特徴とする請求項１又は２に記載の軒樋吊具。
【発明の詳細な説明】
【技術分野】
【０００１】
本発明は、建物が有する鼻板の屋外側に軒樋を支持する軒樋吊具に関する。
【背景技術】
【０００２】
軒樋を鼻板の屋外側に支持するために、軒樋吊具が用いられる。軒樋吊具は、鼻板に固定されるベース状の固定部と、この固定部から延設される支持部とを、一体に形成したものである。この軒樋吊具の支持部に軒樋を引っ掛けることで、軒樋を支持する（例えば、特許文献１参照）。
【先行技術文献】
【特許文献】
【０００３】
【特許文献１】特開２０１３−１６３９４０号公報
【発明の概要】
【発明が解決しようとする課題】
【０００４】
建物の鼻板に固定される軒樋吊具は、太陽の紫外線や風雨に晒される環境下にある。そのため、軒樋吊具が劣化した場合には、新たな軒樋吊具に交換する必要があり、交換のための手間やコストが嵩むという課題を有していた。
【０００５】
本発明は、前記課題を解決するもので、交換の際の手間やコストを抑えることのできる軒樋吊具を提供することを、目的とする。
【課題を解決するための手段】
【０００６】
前記課題を解決するために、本発明を、下記構成を具備する軒樋吊具とする。
【０００７】
本発明は、建物が有する鼻板の屋外側に軒樋を支持する軒樋吊具であって、前記鼻板に固定されるベースと、前記ベースとは別体に設けた吊具本体とを備える。前記吊具本体は、固定用の貫通孔を形成した上側ベースと、この上側ベースから延設される架橋体とを、一体に有する。本発明では、前記ベースに対して前記上側ベースを着脱自在に結合させ、且つ、前記ベースの上方に位置する前記上側ベースを、前記貫通孔を介して前記鼻板に固定した状態で、前記上側ベースから屋外側に延設される前記架橋体で前記軒樋を支持するように設ける。
【０００８】
本発明は、更に下記の各構成を具備することが好ましい。
【０００９】
即ち、本発明において、前記ベースはその上部に第一凹凸構造を有し、前記上側ベースはその下部に第二凹凸構造を有する。前記ベースと前記上側ベースは、前記第一凹凸構造と前記第二凹凸構造が上下スライド自在に嵌合することで、着脱自在に結合される。
【００１０】
また、本発明において、前記ベースは、前記軒樋の屋内側端部を引っ掛ける屋内側引掛部を、その屋外側の面に有する。前記架橋体は、前記軒樋の内面に当たる延出部を、下方に延出させて有する。前記屋内側引掛部と前記延出部との間で前記軒樋を挟み込むことで、前記軒樋の回転を抑える。
【発明の効果】
【００１１】
本発明では、鼻板に固定されるベースに対して、吊具本体の上側ベースを着脱自在に結合させ、この上側ベースを鼻板に固定し、上側ベースから屋外側に延設される架橋体で軒樋を支持するように設けている。そのため、太陽の紫外線や風雨に晒されて劣化する吊具本体だけを簡単に且つ低コストで交換することができ、交換の際の手間やコストを抑えることができるという効果を奏する。
【図面の簡単な説明】
【００１２】
【図１】本発明の一実施形態の軒樋吊具で軒樋を支持した状態の側面図である。
【図２】本発明の一実施形態の軒樋吊具を斜め前方から視た斜視図である。
【図３】本発明の一実施形態の軒樋吊具を斜め後方から視た斜視図である。
【図４】本発明の一実施形態の軒樋吊具を斜め前方から視た分解斜視図である。
【図５】本発明の一実施形態の軒樋吊具を斜め後方から視た分解斜視図である。
【図６】本発明の一実施形態の軒樋吊具が備える吊具本体を斜め前方から視た斜視図である。
【図７】本発明の一実施形態の軒樋吊具が備える吊具本体を斜め後方から視た斜視図である。
【図８】本発明の一実施形態の軒樋吊具が備えるベースを斜め前方から視た斜視図である。
【発明を実施するための形態】
【００１３】
本発明を、添付図面に示す実施形態に基づいて説明する。
【００１４】
図１には、本発明の実施形態の軒樋吊具１０を、建物５０の鼻板５００に設置した状態を示している。図２−図３には軒樋吊具１０を示している。図４−図５には、軒樋吊具１０をベース２０と吊具本体３０に分解した状態を示している。図６−図７には吊具本体３０を示し、図８にはベース２０を示している。
【００１５】
まず、本実施形態の軒樋吊具１０で支持する軒樋４０について説明する。
【００１６】
軒樋４０は、屋内側に位置する後板４００と、屋外側に位置する前板４０２と、両板４００，４０２の下端同士をつなぐように位置する底板４０４とを有する。
【００１７】
なお、本文中で用いる前後、上下、左右等の位置関係は、図１に示すように軒樋吊具１０及び軒樋４０を建物５０に取付けた状態を基準とする。即ち、本文中で用いる前側は、図１の取付状態での屋外側を意味し、本文中で用いる後側は、図１の取付状態での屋内側を意味する。
【００１８】
後板４００は、その上端部に後耳部４０６を有する。後耳部４０６は、平板状である後板４００の上端部から、後側に突出して位置する。
【００１９】
前板４０２は、その上端部に前耳部４０８を有する。前耳部４０８は、平板状である前板４０２の上端から後側に折り返されて位置する。
【００２０】
次に、本実施形態の軒樋吊具１０について説明する。
【００２１】
軒樋吊具１０は、互いに別体で形成されるベース２０と吊具本体３０とを備える。
【００２２】
ベース２０は板状の部材であり、鼻板５００に当たる平坦な固定面２００を、後側に有する。ベース２０の前側を向く面２０２には、前方に突出する屋内側引掛部２０４を左右に一対設けている。
【００２３】
突起体である屋内側引掛部２０４の上面は、軒樋４０の後耳部４０６を引っ掛ける平坦な引掛面２０６である。屋内側引掛部２０４の前面は、軒樋４０の後板４００に押し当たる当接面２０８である。引掛面２０６と当接面２０８は、角部分を挟んで一連に位置する。
【００２４】
ベース２０には、厚み方向（前後方向）に貫通する貫通孔２１０を、左右に一対設けている（図８等参照）。ベース２０の前側の面２０２のうち、貫通孔２１０の開口縁を囲む領域には、座繰り穴２１２を設けている。
【００２５】
ベース２０の上部には、第一凹凸構造２１４を設けている。第一凹凸構造２１４は、ベース２０の上端面から下方に凹設される凹所２１６を、左右方向に隙間をあけて複数個所（ここでは三箇所）に有する。凹所２１６は、後述する吊具本体３０の突出部３１２を、上下スライド自在に挿入する部分である。
【００２６】
凹所２１６には、ここに挿入された突出部３１２の前面に当たる前壁２１８と、突出部３１２の先端部分の後面に当たる後壁２２０とを設けている。
【００２７】
中央の凹所２１６には、挿入された突出部３１２の前面のうち左右の両端縁部に当たるように、幅狭の前壁２１８を左右に一対設けている。左右両側の凹所２１６には、挿入された突出部３１２の前面の全体に当たるように、幅広の前壁２１８を設けている。
【００２８】
吊具本体３０は、ベース２０に対して着脱自在に結合される上側ベース３００と、上側ベース３００から延出する架橋体３０２とを、一体に形成したものである（図６−図７等参照）。
【００２９】
上側ベース３００は、ベース２０と同一の厚みを有する板状の部分である。上側ベース３００の後側を向く面は、鼻板５００に当たる平坦な固定面３０４である。上側ベース３００には、厚み方向に貫通する貫通孔３０６を、左右に一対設けている。上側ベース３００の前面のうち、貫通孔３０６の開口縁を囲む領域には、座繰り穴３０８を設けている。
【００３０】
上側ベース３００の下部には、第二凹凸構造３１０を設けている。第二凹凸構造３１０は、下方に突出する突出部３１２を、左右方向に隙間をあけて複数個所（ここでは三箇所）に有する。突出部３１２は、ベース２０が有する凹所２１６に対して、一対一で挿入する部分である。
【００３１】
突出部３１２の先端部には、後面側から前方に凹んだ凹段部３１４を設けている。突出部３１２をベース２０の凹所２１６内に挿入したときには、この凹段部３１４にベース２０の後壁２２０が嵌り込む。この状態で、ベース２０と吊具本体３０の固定面２００，３０４同士が、面一に連続する。
【００３２】
架橋体３０２は、上側ベース３００の中央部分（中央の突出部３１２を含む部分）から、前方に延出している。架橋体３０２の前端部には、軒樋４０の前板４０２の内面に当たる板状部分３１６を形成し、板状部分３１６の上端部に屋外側引掛部３１８を設けている。屋外側引掛部３１８は、板状部分３１６の上端部から後方に向けて突出したフック状の部分である。
【００３３】
架橋体３０２の後側半部の下面からは、後斜め下方に向けて延出部３２０を延出させている。延出部３２０は、軒樋４０の内面に当たる当接面３２２を有する。本実施形態では、延出部３２０の後面の下側部分が当接面３２２である。軒樋４０が有する後板４００の内面（前面）がこの当接面３２２に当たることで、軒樋４０の回り止めが図られる。上側ベース３００と架橋体３０２と延出部３２０は、合成樹脂を用いて一体に成形される。
【００３４】
次に、上述した本実施形態の軒樋吊具１０を用いて、建物５０に軒樋４０を取り付ける方法について説明する。
【００３５】
まず、建物５０が有する鼻板５００の屋外側に、軒樋吊具１０のベース２０を固定する。ベース２０の固定は、一対の貫通孔２１０にそれぞれ固定ネジ２２２を屋外側から挿通し、挿通した固定ネジ２２２を鼻板５００に固定することで行う。固定ネジ２２２のヘッドは、ベース２０の座繰り穴２１２に嵌り、ベース２０が有する前側の面２０２と面一に収まる。
【００３６】
次いで、ネジ固定したベース２０に対して、吊具本体３０の基端部となる上側ベース３００を、上方からのスライドによって嵌合させる。ベース２０と上側ベース３００は、ベース２０が有する第一凹凸構造２１４と上側ベース３００が有する第二凹凸構造３１０とが上下スライド自在に嵌合することで、着脱自在に結合される。
【００３７】
具体的には、上側ベース３００から下方に延出する三箇所の突出部３１２を、ベース２０の上部に凹設した三箇所の凹所２１６に、一対一で挿入する。
【００３８】
中央の突出部３１２は、これと対応する中央の凹所２１６内に、両側の前壁２１８と鼻板５００にガイドされながら挿入される。中央の突出部３１２は、その前面の左右両端縁部に前壁２１８が当たり、且つ、その後面の先端部分に後壁２２０が当たることで、凹所２１６内で抜け止めされる。
【００３９】
両側の突出部３１２は、対応する端側の凹所２１６内に、前壁２１８と鼻板５００にガイドされながら挿入される。両側の突出部３１２は、その前面に前壁２１８が当たり、且つ、その後面の先端部分に後壁２２０が当たることで、凹所２１６内で抜け止めされる。
【００４０】
この状態で、吊具本体３０は、ベース２０に仮止めされる。吊具本体３０の仮止め状態において、上側ベース３００の前面は、ベース２０が有する前側の面２０２と面一に連続し、且つ、上側ベース３００が有する後側の固定面３０４は、ベース２０が有する固定面２００と面一に連続する。
【００４１】
仮止め状態にある上側ベース３００の本固定は、一対の貫通孔３０６にそれぞれ固定ネジ３２４を屋外側から挿通し、挿通した固定ネジ３２４を鼻板５００に固定することで行う。固定ネジ３２４のヘッドは、上側ベース３００の座繰り穴３０８に嵌り、上側ベース３００の前面と面一に収まる。
【００４２】
次いで、前記のようにして鼻板５００に固定した軒樋吊具１０に対して、軒樋４０を取り付ける。
【００４３】
軒樋４０の向きは、後耳部４０６が屋内側端部として位置し、前耳部４０８が屋外側端部として位置するようにセットし、このようにセットした軒樋４０の前耳部４０８を、図１に示すように、前耳部４０８を吊具本体３０の屋外側引掛部３１８に引っ掛ける。次いで、この引っ掛け部分を中心として軒樋４０を前後方向に回転させ、軒樋４０の後板４００を、ベース２０と吊具本体３０の間に形成されるスペース内に、下方から挿入する。
【００４４】
そして、後板４００が上端部に有する後耳部４０６を、前記スペース内にて、ベース２０から前方に突出する屋内側引掛部２０４の引掛面２０６上に、引っ掛けて位置させる。
【００４５】
このとき、屋内側引掛部２０４が有する当接面２０８が、軒樋４０の後板４００の上側部分に後方から押し当たり、吊具本体３０の延出部３２０が有する当接面３２２が、後板４００の下側部分に前方から押し当たる。
【００４６】
即ち、軒樋４０は、ベース２０が有する屋内側引掛部２０４と、吊具本体３０が有する屋外側引掛部３１８によって、鼻板５００の屋外側に引っ掛けて支持される。加えて、軒樋４０は、ベース２０が有する屋内側引掛部２０４と、吊具本体３０が有する延出部３２０との間に後板４００が挟み込まれることで、前後方向の回転が抑えられる。
【００４７】
上述したように、本実施形態の軒樋吊具１０は、建物５０が有する鼻板５００の屋外側に軒樋４０を支持するものである。軒樋吊具１０は、鼻板５００に固定されるベース２０と、ベース２０とは別体に設けた吊具本体３０とを備える。吊具本体３０は、固定用の貫通孔３０６を形成した上側ベース３００と、上側ベース３００から延設される架橋体３０２とを一体に有する。ベース２０に対して上側ベース３００を着脱自在に結合させ、且つ、ベース２０の上方に位置する上側ベース３００を、貫通孔３０６を介して鼻板５００に固定した状態で、上側ベース３００から屋外側に延設される架橋体３０２で軒樋４０を支持する。
【００４８】
本実施形態の軒樋吊具１０では、鼻板５００に固定される軒樋吊具１０のベース部分が、ベース２０と上側ベース３００とで構成される。このうち、下側のベース２０を残して上側ベース３０を取り外せば、紫外線や風雨に晒されて劣化する吊具本体３０ごと取り外すことができる。その後、鼻板５００に残したベース２０をそのまま利用し、新しい吊具本体３０を鼻板５００に固定することで、軒樋吊具１０を簡単な作業で交換することができ、且つ、コストも抑えることができる。
【００４９】
図１に示すように、鼻板５００に固定されたベース２０は、その上方に上側ベース３００が位置し、その前方に軒樋４０や架橋体３０２が位置する状態にあり、これらの影となる箇所にあることで、紫外線や風雨に晒されることが抑えられる。
【００５０】
更に、本実施形態の軒樋吊具１０において、ベース２０は、その上部に第一凹凸構造２１４を有する。上側ベース３００は、その下部に第二凹凸構造３１０を有する。ベース２０と上側ベース３００は、第一凹凸構造２１４と第二凹凸構造３１０が上下スライド自在に嵌合することで、着脱自在に結合される。
【００５１】
したがって、本実施形態の軒樋吊具１０によれば、鼻板５００に固定されるベース２０に対して、吊具本体３０が有する上側ベース３００を、上方からのスライドにより着脱自在に結合させ、仮止めすることができる。そして、この仮止め状態にある上側ベース３００の貫通孔３０６に固定ネジ３２４を挿入することで、鼻板５００に対して吊具本体３０を簡単に本固定することができる。また、固定した吊具本体３０から固定ネジ３２４を外し、鼻板５００に沿って上方にスライドさせることで、吊具本体３０の取り外しも簡単に行うことができる。
【００５２】
更に、本実施形態の軒樋吊具１０において、ベース２０は、軒樋４０の屋内側端部である後耳部４０６を引っ掛ける屋内側引掛部２０４を、その屋外側の面２０２に有する。架橋体３０２は、軒樋４０の内面に当たる延出部３２０を、下方に延出させて有する。そして、屋内側引掛部２０４と延出部３２０との間で軒樋４０を挟み込むことで、軒樋４０の回転を抑えるように設けている。
【００５３】
したがって、本実施形態の軒樋吊具１０によれば、軒樋４０の回転を抑えて安定的に支持することが可能である。
【００５４】
以上、本発明を添付図面に示す実施形態に基づいて説明したが、本発明は前記実施形態に限定されるものではない。本発明の意図する範囲内であれば、適宜の設計変更を行うことが可能である。
【符号の説明】
【００５５】
１０  軒樋吊具
２０  ベース
３０  吊具本体
４０  軒樋
５０  建物
２０２  面
２０４  屋内側引掛部
２１０  貫通孔
２１４  第一凹凸構造
３００  上側ベース
３０２  架橋体
３１０  第二凹凸構造
３２０  延出部
５００  鼻板
【図１】
2015068107.tif 000003
【図２】
2015068107.tif 000004
【図３】
2015068107.tif 000005
【図４】
2015068107.tif 000006
【図５】
2015068107.tif 000007
【図６】
2015068107.tif 000008
【図７】
2015068107.tif 000009
【図８】
2015068107.tif 000010